(57)【要約】【課題】軽量化、特にフォーカスレンズ群及び防振レンズ群（防振の際に光軸に対して略垂直に移動させるレンズ群）の重量削減を達成しつつ、結像光学系全長の小型化を実現し、さらに良好な防振機能を有し、フォーカシングに際し諸収差の変動を良好に補正した、高い光学性能を有する結像光学系を提供する。【解決手段】物体側より順に、正の屈折力を持つ第１レンズ群Ｌ１、及び負の屈折力の後レンズ群ＬＲからなり、前記第１レンズ群Ｌ１は正の屈折力のレンズ群Ｌ１１、正の屈折力のレンズ群Ｌ１２、正の屈折力のレンズ群Ｌ１３を有し、前記後レンズ群ＬＲは、無限遠から近距離のフォーカシングに際し像面方向に移動する負の屈折力の第２レンズ群Ｌ２と、一部のレンズ群を光軸と垂直な方向に移動させて撮影画像の像ブレを補正する負の屈折力の第３レンズ群Ｌ３とを有し、所定の条件を満足していることを特徴とする結像光学系。【選択図】図１
2015064436.tif 000002
【特許請求の範囲】
【請求項１】
物体側より順に、正の屈折力を持つ第１レンズ群Ｌ１、及び負の屈折力の後レンズ群ＬＲからなり、前記第１レンズ群Ｌ１は正の屈折力のレンズ群Ｌ１１、正の屈折力のレンズ群Ｌ１２、正の屈折力のレンズ群Ｌ１３を有し、前記後レンズ群ＬＲは、無限遠から近距離のフォーカシングに際し像面方向に移動する負の屈折力の第２レンズ群Ｌ２と、一部のレンズ群を光軸と垂直な方向に移動させて撮影画像の像ブレを補正する負の屈折力の第３レンズ群Ｌ３とを有し、第ｉレンズ群の焦点距離をｆｉ、後レンズ群の焦点距離をｆＬＲ、結像光学系全系の焦点距離をｆとしたとき、
（１）０．３０≦ｆ１／ｆ≦０．６０
（２）１．００≦ｆ１１／ｆ≦１．８０
（３）１．００≦ｆ１２／ｆ≦６．００
（４）０．４０≦ｆ１３／ｆ≦１．５０
（５）−０．５０＜ｆＬＲ／ｆ＜−０．１５
なる条件を満足していることを特徴とする結像光学系。
【請求項２】
前記第１３レンズ群Ｌ１３は物体側から順に物体側に凸面を向けた負の屈折力のメニスカスレンズＧｎ１と、少なくとも１枚の正の屈折力のレンズＧｐ１の順からなり、前記負の屈折力のメニスカスレンズＧｎ１のｇ線とＦ線に対する部分分散比をθｇＦｎ１、前記正の屈折力のレンズＧｐ１のｇ線とＦ線に対する部分分散比をθｇＦｐ１、前記負のメニスカスレンズＧｎ１のｄ線のアッベ数をνｄｎ１、前記正の屈折力のレンズＧｐ１のアッベ数をνｄｐ１としたとき、
（６）θｇＦｎ１−０．６４８３＋０．００１８×νｄｎ１≦０
（７）７５≦νｄｐ１
（８）０．０３００≦θｇＦｐ１−０．６４８３＋０．００１８×νｄｐ１
なる条件を満足していることを特徴とする請求項１記載の結像光学系。
【請求項３】
前記第３レンズ群Ｌ３は、正の屈折力の第３１レンズ群Ｌ３１と、負の屈折力の第３２レンズ群Ｌ３２、正の屈折力の第３３レンズ群Ｌ３３からなり、前記第３２レンズ群Ｌ３２は撮影画像の像ブレを補正するために光軸と垂直な方向に移動させることを特徴とし、第ｉレンズ群の焦点距離をｆｉとしたとき、
（９）−０．８５≦ｆ３１／ｆ３≦０
（１０）０≦ｆ３２／ｆ３≦０．１２
（１１）−０．１８≦ｆ３３／ｆ３≦０
なる条件を満足していることを特徴とする、請求項１乃至２に記載の結像光学系。
【請求項４】
前記第３２レンズ群Ｌ３２は、接合レンズを構成する少なくとも１枚の負レンズＧｎ２を有し、前記負レンズＧｎ２のｄ線のアッベ数をνｄｎ２、前記負レンズＧｎ２のｄ線の屈折率をｎｄｎ２としたとき、
（１２）ｎｄｎ２≦１．７５
（１３）４５≦νｄｎ２
なる条件を満足していることを特徴とする、請求項３に記載の結像光学系。
【発明の詳細な説明】
【技術分野】
【０００１】
本発明は、スチルカメラ、ビデオカメラ等の撮像装置に用いる撮影レンズに好適な結像光学系に関し、特にフォーカシングに際してインナーフォーカス方式を用い、フォーカスレンズ群の重量及び移動量を抑えることで高速なフォーカシング動作を実現し、また、結像光学系に対する振動による撮影画像の像ブレを補正する機能、所謂「防振機能」を有しながら、フォーカシング時の収差変動が少ない高い光学性能を両立した結像光学系を提供することを目的とする。
【背景技術】
【０００２】
従来、３５ミリ判の撮像サイズに対応した、焦点距離が３００ｍｍから６００ｍｍ程度の長焦点距離であり、開放Ｆ値が２．８から４．０程度のインナーフォーカス方式を採用した大口径望遠レンズとして、特許文献１、２等が開示されている。
【先行技術文献】
【特許文献】
【０００３】
【特許文献１】特許第３４８６５４１号公報
【特許文献２】特開２０１１−０８１０６４号公報
【発明の概要】
【発明が解決しようとする課題】
【０００４】
一般的に望遠レンズでは、正の屈折力を持つ物体側のレンズ群の屈折力を強くし、さらに像面側のレンズ群に負の屈折力を配置する、所謂テレフォトタイプの採用や、さらにその像面側に正の屈折力を持つレンズ群を配置することにより、レンズ全長の短縮や前玉のレンズ径の小型化を図っている。しかしながら、絞りより物体側のレンズ群の正の屈折力を強くしてゆくと、色収差を含めた諸収差が急激に増大し、小型化と高い光学性能を両立する望遠レンズの実現は困難であった。
【０００５】
また、多くの望遠レンズにおいてフォーカシングは、結像光学系の一部を移動させる方式が主流となっている。特に、望遠レンズでは、結像光学系の中央付近の絞り近傍のレンズ群が、光線高が比較的低く、軽量であるため、このレンズ群を使用してフォーカシングを行う、インナーフォーカス方式を用いているものが多い。
【０００６】
フォーカシングに際して、フォーカシングレンズ群の移動量を少なくするためには、フォーカシングレンズ群を比較的高い像倍率とする必要がある。しかしながら、インナーフォーカス方式を用いる場合には、フォーカシングレンズ群の像倍率を高くすると、物体側のレンズ群の残存収差を高い像倍率を有するフォーカシングレンズ群でさらに拡大することになるため、わずかな物体距離の変動でも収差バランスが大きく変動しやすくなり、無限遠物体から至近物体までにおける全撮影距離で良好な光学性能を有することは困難であった。
【０００７】
また、大口径の望遠レンズでは、口径比（Ｆナンバー）に応じて前玉のレンズ径が大型化するので、大型で重量の大きい正の屈折力の物体側のレンズ群と像面側にあるレンズ群との距離を離すことが、望遠レンズの小型化及び軽量化に効果的である。
【０００８】
特許文献１で開示されている大口径望遠レンズは、テレ比が０．９０程度であり、防振機能を有しながら諸収差が良好に補正されている。しかしながら、光学系の重量が大きく、また重量の大きいレンズ群がレンズ先端に集中しているため、望遠レンズ全体の重量バランスの点においても適切ではない。
【０００９】
特許文献２で開示されている結像光学系は、正の屈折力の第１正レンズと第２正レンズとの間隔が大きく離れていることで、第２正レンズに入射する光線高が低くなり、結像光学系全体の重量の削減を達成している。さらに、正の屈折力を有する第２正レンズ及び第４正レンズに蛍石等の大きな異常分散性を有する材料を使用することで、無限遠物体に対して良好に色収差を補正している。しかしながら、フォーカシングに際し至近物体に対して合焦する場合の色収差は大きく悪化し、光学性能に問題がある。また、結像光学系全長についてもテレ比は１．０に近く、一層の短縮化が望まれていた。
【００１０】
本発明はこのような状況に鑑みてなされたものであり、軽量化、特にフォーカスレンズ群及び防振レンズ群（防振の際に光軸に対して略垂直に移動させるレンズ群）の重量削減を達成しつつ、結像光学系全長の小型化を実現し、さらに良好な防振機能を有し、フォーカシングに際し諸収差の変動を良好に補正した、高い光学性能を有する結像光学系を提供することを目的としている。
【課題を解決するための手段】
【００１１】
上記課題を解決するため、本出願に係る第１の発明は、物体側より順に、正の屈折力を持つ第１レンズ群Ｌ１、及び負の屈折力の後レンズ群ＬＲからなり、前記第１レンズ群Ｌ１は正の屈折力のレンズ群Ｌ１１、正の屈折力のレンズ群Ｌ１２、正の屈折力のレンズ群Ｌ１３を有し、前記後レンズ群ＬＲは、無限遠から近距離のフォーカシングに際し像面方向に移動する負の屈折力の第２レンズ群Ｌ２と、一部のレンズ群を光軸と垂直な方向に移動させて撮影画像の像ブレを補正する負の屈折力の第３レンズ群Ｌ３とを有し、所定の条件式を満足する結像光学系であることとした。
【００１２】
また、本出願に係る第２の発明は、前記第１３レンズ群Ｌ１３は物体側から順に物体側に凸面を向けた負の屈折力のメニスカスレンズＧｎ１と、少なくとも１枚の正の屈折力のレンズＧｐ１の順からなり、所定の条件式を満足する第１の発明の結像光学系であることとした。
【００１３】
また、本出願に係る第３の発明は、前記第３レンズ群Ｌ３は、正の屈折力の第３１レンズ群Ｌ３１と、負の屈折力の第３２レンズ群Ｌ３２、正の屈折力の第３３レンズ群Ｌ３３からなり、前記第３２レンズ群Ｌ３２は撮影画像の像ブレを補正するために光軸と垂直な方向に移動させることを特徴とし、所定の条件式を満足する第１又は第２の発明の結像光学系であることとした。
【００１４】
また、本出願に係る第４の発明は、前記第３２レンズ群Ｌ３２は、接合レンズを構成する少なくとも１枚の負レンズＧｎ２を有し、所定の条件式を満足する第３の発明の結像光学系であることとした。
【発明の効果】
【００１５】
本発明によれば、結像光学系の軽量化、特にフォーカスレンズ群及び防振レンズ群の重量削減を達成しつつ、結像光学系全長の小型化を実現し、さらに良好な防振機能を有し、フォーカシングに際し諸収差の変動を良好に補正した、高い光学性能を有する結像光学系を提供することができる。
【図面の簡単な説明】
【００１６】
【図１】本発明の実施例１の結像光学系の無限遠物体におけるレンズ構成図である。
【図２】本発明の実施例１の無限遠物体における縦収差図である。
【図３】本発明の実施例１の無限遠物体における横収差図である。
【図４】本発明の実施例１の無限遠物体における０．３°防振時の横収差図である。
【図５】本発明の実施例１の物体距離２７００ｍｍにおける縦収差図である。
【図６】本発明の実施例１の物体距離２７００ｍｍにおける横収差図である。
【図７】本発明の実施例１の物体距離２７００ｍｍにおける０．３°防振時の横収差図である。
【図８】本発明の実施例２の結像光学系の無限遠物体におけるレンズ構成図である。
【図９】本発明の実施例２の無限遠物体における縦収差図である。
【図１０】本発明の実施例２の無限遠物体における横収差図である。
【図１１】本発明の実施例２の無限遠物体における０．３°防振時の横収差図である。
【図１２】本発明の実施例２の物体距離２７００ｍｍにおける縦収差図である。
【図１３】本発明の実施例２の物体距離２７００ｍｍにおける横収差図である。
【図１４】本発明の実施例２の物体距離２７００ｍｍにおける０．３°防振時の横収差図である。
【図１５】本発明の実施例３の結像光学系の無限遠物体におけるレンズ構成図である。
【図１６】本発明の実施例３の無限遠物体における縦収差図である。
【図１７】本発明の実施例３の無限遠物体における横収差図である。
【図１８】本発明の実施例３の無限遠物体における０．３°防振時の横収差図である。
【図１９】本発明の実施例３の物体距離２７００ｍｍにおける縦収差図である。
【図２０】本発明の実施例３の物体距離２７００ｍｍにおける横収差図である。
【図２１】本発明の実施例３の物体距離２７００ｍｍにおける０．３°防振時の横収差図である。
【図２２】本発明の実施例４の結像光学系の無限遠物体におけるレンズ構成図である。
【図２３】本発明の実施例４の無限遠物体における縦収差図である。
【図２４】本発明の実施例４の無限遠物体における横収差図である。
【図２５】本発明の実施例４の無限遠物体における０．３°防振時の横収差図である。
【図２６】本発明の実施例４の物体距離２７００ｍｍにおける縦収差図である。
【図２７】本発明の実施例４の物体距離２７００ｍｍにおける横収差図である。
【図２８】本発明の実施例４の物体距離２７００ｍｍにおける０．３°防振時の横収差図である。
【図２９】本発明の実施例５の結像光学系の無限遠物体におけるレンズ構成図である。
【図３０】本発明の実施例５の無限遠物体における縦収差図である。
【図３１】本発明の実施例５の無限遠物体における横収差図である。
【図３２】本発明の実施例５の無限遠物体における０．３°防振時の横収差図である。
【図３３】本発明の実施例５の物体距離２７００ｍｍにおける縦収差図である。
【図３４】本発明の実施例５の物体距離２７００ｍｍにおける横収差図である。
【図３５】本発明の実施例５の物体距離２７００ｍｍにおける０．３°防振時の横収差図である。
【図３６】本発明の実施例６の結像光学系の無限遠物体におけるレンズ構成図である。
【図３７】本発明の実施例６の無限遠物体における縦収差図である。
【図３８】本発明の実施例６の無限遠物体における横収差図である。
【図３９】本発明の実施例６の無限遠物体における０．３°防振時の横収差図である。
【図４０】本発明の実施例６の物体距離２７００ｍｍにおける縦収差図である。
【図４１】本発明の実施例６の物体距離２７００ｍｍにおける横収差図である。
【図４２】本発明の実施例６の物体距離２７００ｍｍにおける０．３°防振時の横収差図である。
【図４３】本発明の実施例７の結像光学系の無限遠物体におけるレンズ構成図である。
【図４４】本発明の実施例７の無限遠物体における縦収差図である。
【図４５】本発明の実施例７の無限遠物体における横収差図である。
【図４６】本発明の実施例７の無限遠物体における０．３°防振時の横収差図である。
【図４７】本発明の実施例７の物体距離２７００ｍｍにおける縦収差図である。
【図４８】本発明の実施例７の物体距離２７００ｍｍにおける横収差図である。
【図４９】本発明の実施例７の物体距離２７００ｍｍにおける０．３°防振時の横収差図である。
【図５０】本発明の実施例８の結像光学系の無限遠物体におけるレンズ構成図である。
【図５１】本発明の実施例８の無限遠物体における縦収差図である。
【図５２】本発明の実施例８の無限遠物体における横収差図である。
【図５３】本発明の実施例８の無限遠物体における０．３°防振時の横収差図である。
【図５４】本発明の実施例８の物体距離２７００ｍｍにおける縦収差図である。
【図５５】本発明の実施例８の物体距離２７００ｍｍにおける横収差図である。
【図５６】本発明の実施例８の物体距離２７００ｍｍにおける０．３°防振時の横収差図である。
【図５７】本発明の実施例９の結像光学系の無限遠物体におけるレンズ構成図である。
【図５８】本発明の実施例９の無限遠物体における縦収差図である。
【図５９】本発明の実施例９の無限遠物体における横収差図である。
【図６０】本発明の実施例９の無限遠物体における０．３°防振時の横収差図である。
【図６１】本発明の実施例９の物体距離２７００ｍｍにおける縦収差図である。
【図６２】本発明の実施例９の物体距離２７００ｍｍにおける横収差図である。
【図６３】本発明の実施例９の物体距離２７００ｍｍにおける０．３°防振時の横収差図である。
【図６４】本発明の実施例１０の結像光学系の無限遠物体におけるレンズ構成図である。
【図６５】本発明の実施例１０の無限遠物体における縦収差図である。
【図６６】本発明の実施例１０の無限遠物体における横収差図である。
【図６７】本発明の実施例１０の無限遠物体における０．３°防振時の横収差図である。
【図６８】本発明の実施例１０の物体距離２７００ｍｍにおける縦収差図である。
【図６９】本発明の実施例１０の物体距離２７００ｍｍにおける横収差図である。
【図７０】本発明の実施例１０の物体距離２７００ｍｍにおける０．３°防振時の横収差図である。
【図７１】本発明の実施例１１の結像光学系の無限遠物体におけるレンズ構成図である。
【図７２】本発明の実施例１１の無限遠物体における縦収差図である。
【図７３】本発明の実施例１１の無限遠物体における横収差図である。
【図７４】本発明の実施例１１の無限遠物体における０．３°防振時の横収差図である。
【図７５】本発明の実施例１１の物体距離２７００ｍｍにおける縦収差図である。
【図７６】本発明の実施例１１の物体距離２７００ｍｍにおける横収差図である。
【図７７】本発明の実施例１１の物体距離２７００ｍｍにおける０．３°防振時の横収差図である。
【図７８】本発明の実施例１２の結像光学系の無限遠物体におけるレンズ構成図である。
【図７９】本発明の実施例１２の無限遠物体における縦収差図である。
【図８０】本発明の実施例１２の無限遠物体における横収差図である。
【図８１】本発明の実施例１２の無限遠物体における０．３°防振時の横収差図である。
【図８２】本発明の実施例１２の物体距離２７００ｍｍにおける縦収差図である。
【図８３】本発明の実施例１２の物体距離２７００ｍｍにおける横収差図である。
【図８４】本発明の実施例１２の物体距離２７００ｍｍにおける０．３°防振時の横収差図である。
【発明を実施するための形態】
【００１７】
本発明に係る結像光学系のレンズ構成は、物体側から順に、正の屈折力の第１レンズ群Ｌ１と、負の屈折力の後レンズ群ＬＲからなる。前記第１レンズ群Ｌ１は、第１レンズ群Ｌ１内において最も大きな軸上間隔と２番目に大きな軸上間隔で３つに分割され、物体側から順に、正の屈折力を持つ第１１レンズ群Ｌ１１と、正の屈折力を持つ第１２レンズ群Ｌ１２と、正の屈折力を持つ第１３レンズ群Ｌ１３を有する。前記後レンズ群ＬＲは、物体側から順に、無限遠から近距離へのフォーカシングに際し、像面方向に移動する第２レンズ群Ｌ２と、開口絞りＳと、負の屈折力の第３レンズ群Ｌ３を有し、さらに、前記第３レンズ群Ｌ３は、物体側から順に、正の屈折力を持つ第３１レンズ群Ｌ３１と、負の屈折力を持つ第３２レンズ群Ｌ３２と、正の屈折力を持つ第３３レンズ群Ｌ３３を有し、前記第３２レンズ群Ｌ３２は防振時に光軸と垂直な方向に移動する構成となっている。
【００１８】
本実施例の結像光学系において、第１レンズ群Ｌ１は、１枚の正レンズからなる第１１レンズ群Ｌ１１と、少なくとも１枚の正レンズと負レンズからなる第１２レンズ群Ｌ１２と、物体側から順に物体側に凸の形状を有する負のメニスカスレンズと、正レンズからなる第１３レンズ群Ｌ１３を有する。第１レンズ群Ｌ１は、全体として正の屈折力を持ち、上記のような３分割の構成をとることで高い光線高を緩やかに収斂させるように作用し、像面側の第２レンズ群Ｌ２へ入射する光線高を低くする効果を奏する。
【００１９】
また、前記第１３レンズ群Ｌ１３に含まれる前記正レンズには、低分散でかつ異常分散性が高い材料を使用し、さらに負メニスカスレンズと組み合わせることで、２次スペクトルの発生を最小限に抑えることができ、フォーカシングに際しても良好な性能を維持することができる。
【００２０】
また、本実施例の結像光学系においては、後レンズ群ＬＲは全体として負の屈折力を有し、第１レンズ群Ｌ１と後レンズ群ＬＲとでテレフォトタイプを構成する。これにより、結像光学系全長の長大化を防ぐことができる。
【００２１】
本実施例の結像光学系においては、第２レンズ群Ｌ２は、無限遠から近距離へのフォーカシングに際し、像面方向に移動する。また、第２レンズ群Ｌ２は、フォーカシングに要する移動量が小さく、さらに第１レンズ群Ｌ１により第２レンズ群Ｌ２に入射する光線高が低くなっているため、小型化・軽量化を実現している。そのため、より高速に第２レンズ群Ｌ２を駆動することができ、高速なフォーカシング動作を実現することができる。さらに、第２レンズ群Ｌ２の小型化・軽量化により、第２レンズ群Ｌ２を駆動するための駆動手段（モータ等）の小型化が可能となる。
【００２２】
本実施例の結像光学系においては、第３レンズ群Ｌ３は、物体側から順に、正の屈折力を持つ第３１レンズ群Ｌ３１と、負の屈折力を持つ第３２レンズ群Ｌ３２と、正の屈折力を持つ第３３レンズ群Ｌ３３に３分割され、全体として負の屈折率を有する。第３１レンズ群Ｌ３１は、第１レンズ群Ｌ１および第２レンズ群Ｌ２で残存した収差を補正するとともに、第２レンズ群Ｌ２から射出する光線高を低くすることで、像面側の防振レンズ群である第３２レンズ群Ｌ３２を駆動するための駆動手段の小型・軽量化を実現している。第３２レンズ群Ｌ３２は、光軸と垂直な方向へ移動して撮影画像の像ブレを補正する防振レンズ群である。第３３レンズ群Ｌ３３は、第３２レンズ群Ｌ３２の偏心移動量を少なくしつつ、像面位置での結像位置の変化量を満足させる役割を持つ。
【００２３】
また、本実施例の結像光学系では、各レンズ群の屈折力の配置を最適化することで、結像光学系の小型化と無限遠物体から至近物体まで合焦させた時の諸収差を抑えた良好な光学性能を達成している。
【００２４】
本発明の結像光学系は、小型化と良好な光学性能を両立するために条件式（１）〜（５）を満す。
（１）０．３０≦ｆ１／ｆ≦０．６０
（２）１．００≦ｆ１１／ｆ≦１．８０
（３）１．００≦ｆ１２／ｆ≦６．００
（４）０．４０≦ｆ１３／ｆ≦１．５０
（５）−０．５０＜ｆＬＲ／ｆ＜−０．１５
ｆｉ：第ｉレンズ群の焦点距離
ｆＬＲ：後レンズ群の焦点距離
ｆ：結像光学系全系の焦点距離
【００２５】
条件式（１）〜（５）は、本発明の結像光学系において各レンズ群の焦点距離を規定したものである。
【００２６】
条件式（１）の上限値を超えて第１レンズ群Ｌ１の焦点距離が長くなると、正の屈折力が弱くなる。そのため、第２レンズ群Ｌ２へ入射する光線高を十分に収斂させることができなくなり、結像光学系全体の重量が増加するだけでなく、高速なフォーカシングも実現できなくなる。これを回避するためには、第２レンズ群Ｌ２へ入射する光線高を十分に収斂させるために、第１レンズ群Ｌ１と第２レンズ群Ｌ２の軸上距離を延長すればよいが、結像光学系全長が延びることは使用上好ましくない。さらに、第１レンズ群のレンズ径が大きくなってしまうため、レンズ重量がさらに増加し、結像光学系の小型化や軽量化は困難になる。
本発明の効果をより確実に得るためには、条件式（１）の上限値は０．５６とすることがさらに好ましい。
【００２７】
条件式（１）の下限値を超えて第１レンズ群Ｌ１の焦点距離が短くなると、正の屈折力が強くなる。そのため、結像光学系の小型化には有利になるが、第１レンズ群Ｌ１で発生する収差、特に球面収差が増大し、これを良好に補正することは困難となる。
本発明の効果をより確実に得るためには、条件式（１）の下限値は０．３４とすることがさらに好ましい。
【００２８】
条件式（２）の上限値を超えて第１１レンズ群Ｌ１１の焦点距離が長くなると、第１１レンズ群Ｌ１１から射出する光線高の収斂が不十分となり、第１１レンズ群Ｌ１１より像面側のレンズ群の重量が増大し、結像光学系の軽量化が困難となる。
本発明の効果をより確実に得るためには、条件式（２）の上限値は１．７０とすることがさらに好ましい。
【００２９】
条件式（２）の下限値を超えて第１１レンズ群Ｌ１１の焦点距離が短くなると、第１１レンズ群Ｌ１１から射出する諸収差、特に球面収差が増大し、補正が困難となる。
本発明の効果をより確実に得るためには、条件式（２）の下限値は１．０２とすることがさらに好ましい。
【００３０】
条件式（３）の上限値を超えて、第１２レンズ群Ｌ１２の焦点距離が長くなると、第１２レンズ群Ｌ１２から射出する光線の収斂が不十分となり、第１２レンズ群Ｌ１２より像側のレンズ群の重量が増大し軽量化が困難となる。さらに、第１１レンズ群Ｌ１１で発生した諸収差の低減が困難になる。
本発明の効果をより確実に得るためには、条件式（３）の上限値は５．１０とすることがさらに好ましい。
【００３１】
条件式（３）の下限値を超えて第１２レンズ群Ｌ１２の焦点距離が短くなると、第１２レンズ群Ｌ１２より像面側のレンズ群と第１２レンズ群Ｌ１２の間隔が短くなり、重量が増大し軽量化が困難となる。さらに、第１１レンズ群Ｌ１１で発生した諸収差の低減が困難になる。
本発明の効果をより確実に得るためには条件式（３）の下限値は１．１０とすることがさらに好ましい。
【００３２】
条件式（４）の上限値を超えて第１３レンズ群Ｌ１３の焦点距離が長くなると、第１３レンズ群Ｌ１３から射出する光線の収斂が不十分となり、第２レンズ群Ｌ２より像側のレンズ群の重量が増大し軽量化が困難となるだけでなく、像面側のレンズ群による高速なフォーカシングや良好な防振効果への妨げとなる。さらに、第１２レンズ群Ｌ１２で発生した収差、特に色収差の低減が困難になるため、無限遠物体から至近物体へのフォーカシングに際し収差変動を低減し性能低下を防いだ結像光学系を提供することが困難になる。
本発明の効果をより確実に得るためには、条件式（４）の上限値は１．２０とすることがさらに好ましい。
【００３３】
条件式（４）の下限値を超えて第１３レンズ群Ｌ１３の焦点距離が短くなると、第１２レンズ群Ｌ１２で発生した収差、特に色収差が、フォーカシングに際し像面側の第２レンズ群Ｌ２が光軸に沿って移動することで拡大され、補正が困難になる。そのため、無限遠から最至近距離へのフォーカシングに際し収差変動を低減し性能低下を防いだ結像光学系を提供することが困難になる。
本発明の効果をより確実に得るためには、条件式（４）の下限値は０．４５とすることがさらに好ましい。
【００３４】
本実施例の結像光学系では、第１レンズ群Ｌ１が正の屈折力であり、後レンズ群ＬＲが負の屈折力であるテレフォトタイプを構成する。このため、後レンズ群ＬＲの共役間距離が短くでき、第１レンズ群Ｌ１の屈折力を弱くしながら、結像光学系全体の小型化、軽量化することが可能である。
【００３５】
しかしながら、条件式（５）の上限値を超えて後レンズ群ＬＲの負の屈折力が強くなると、発生した球面収差やコマ収差を補正するために後レンズ群ＬＲを構成するレンズ枚数が増加し、さらに各レンズ群の屈折力の配置が変動することで結像光学系の長大化を招き、結像光学系の軽量化や小型化の障害となる。
本発明の効果をより確実に得るためには条件式（５）の上限値は−０．２１とすることがさらに好ましい。
【００３６】
条件式（５）の下限値を超えて後レンズ群ＬＲの負の屈折力が弱くなると、結像光学系のテレフォトタイプの性質が弱まり、小型化を実現できない。
本発明の効果をより確実に得るためには、条件式（５）の下限値は−０．４５とすることがさらに好ましい。
【００３７】
また、本発明の結像光学系は、第１３レンズ群Ｌ１３に負のメニスカスレンズＧｎ１と正レンズＧｐ１とを有し、条件式（６）〜（８）を満たすことが好ましい。
（６）θｇＦｎ１−０．６４８３＋０．００１８×νｄｎ１≦０
（７）７５≦νｄｐ１
（８）０．０３００≦θｇＦｐ１−０．６４８３＋０．００１８×νｄｐ１
θｇＦｎ１：前記第１３レンズ群Ｌ１３に含まれる負のメニスカスレンズＧｎ１のｇ線とＦ線に対する部分分散比
θｇＦｐ１：前記第１３レンズ群Ｌ１３に含まれる正レンズＧｐ１のｇ線とＦ線に対する部分分散比
νｄｎ１：前記第１３レンズ群Ｌ１３に含まれる負のメニスカスレンズＧｎ１のｄ線のアッベ数
νｄｐ１：前記第１３レンズ群Ｌ１３に含まれる正レンズＧｐ１のｄ線のアッベ数
【００３８】
なお、ｇ線（波長４３５．８ｎｍ）、Ｆ線（波長４８６．１ｎｍ）、ｄ線（波長５８７．６ｎｍ）、及びＣ線（波長６５６．３ｎｍ）に対する屈折率を、それぞれｎｇ、ｎＦ、ｎｄ、及びｎＣとしたとき、部分分散比θｇＦは次の式で表される。
θｇＦ＝（ｎｇ−ｎＦ）／（ｎＦ−ｎＣ）
【００３９】
条件式（６）〜（８）は、本発明の結像光学系において無限遠物体から至近距離物体までフォーカシングする際に良好な光学性能を得るため、第１３レンズ群Ｌ１３中の負のメニスカスレンズＧｎ１には部分分散比が負の材料を用い、正レンズＧｐ１には分散が少なく、かつ部分分散比が正の材料を使用することを規定するものである。
【００４０】
本実施例の結像光学系の第１３レンズ群において２次スペクトルを補正するためには、一般的に、アッベ数の差が大きく、部分分散比の差が小さくなるような負のメニスカスレンズＧｎ１の材料と正レンズＧｐ１の材料を組み合わせると良い。しかしながら、通常の光学材料を使用する限り、略等しい部分分散比を有しながらアッベ数差を大きく取れる材料は存在しない。そこで本発明における結像光学系では、正レンズＧｐ１には低分散かつ異常分散性の高い材料を使用し、負のメニスカスレンズＧｎ１には異常分散性が低い材料を使用することで、フォーカシングレンズ群よりも物体側のレンズ群の２次スペクトルの残存量を抑え、フォーカシングレンズ群により拡大される諸収差、特に色収差を低減している。
【００４１】
条件式（６）の上限値を超えて負のメニスカスレンズＧｎ１の異常分散性が大きくなると、正レンズＧｐ１と負のメニスカスレンズＧｎ１との部分分散比の差を十分小さくすることが困難となり、色収差を良好に補正することができない。
本発明の効果をより確実なものとするために、条件式（６）の下限値は−０．０１５とすることがさらに好ましい。
【００４２】
条件式（７）の下限値を超えて正レンズＧｐ１のアッベ数が小さくなると、正レンズＧｐ１と負のメニスカスレンズＧｎ１とのアッベ数の差を十分大きくすることが困難となり、色収差を良好に補正することができない。
本発明の効果をより確実なものとするために、条件式（７）の上限値は１００とすることがさらに好ましい。また、条件式（７）の下限値は８０とすることがさらに好ましい。
【００４３】
条件式（８）の下限値を超えて正レンズＧｐ１の異常分散性が小さくなると、正レンズＧｐ１と負のメニスカスレンズＧｎ１との部分分散比の差を十分小さくすることが困難となり、色収差を良好に補正することができない。
本発明の効果をより確実なものとするために、条件式（８）の上限値は０．１０とすることがさらに好ましい。また、条件式（８）の下限値を０．０３５とすることがさらに好ましい。
【００４４】
また、本発明の結像光学系は、条件式（９）〜（１１）を満たすことが好ましい。
（９）−０．８５≦ｆ３１／ｆ３≦０
（１０）０≦ｆ３２／ｆ３≦０．１２
（１１）−０．１８≦ｆ３３／ｆ３≦０
ｆｉ：第ｉレンズ群の焦点距離
【００４５】
条件式（９）〜（１１）は、防振時に第３２レンズ群Ｌ３２を光軸と垂直な方向に移動した際の適切な像面移動量を確保しながら、防振時でも良好な性能を得るために、第３レンズ群Ｌ３に含まれる各レンズ群の焦点距離を規定したものである。
【００４６】
条件式（９）の下限値を超えて、第３１レンズ群Ｌ３１の正の屈折力が弱くなると、防振レンズ群である第３２レンズ群Ｌ３２の光軸に垂直な方向への適切な移動量を保持しながら収差バランスを良好に補正するためには、特に第２レンズ群Ｌ２の負の屈折力を弱くする必要がある。第２レンズ群Ｌ２の負の屈折力が弱くなると第２レンズ群Ｌ２自体の収差は小さくなるが、これにより、バックフォーカスが長くなりすぎる。また、フォーカシングに際して第２レンズ群Ｌ２の移動量が増大する。これらは結像光学系の小型化には障害となる。
【００４７】
条件式（９）の上限値を超えて、第３レンズ群Ｌ３が正の屈折力に偏移すると、小型化のために適用したテレフォトタイプが崩れるため、それを補償するために第２レンズ群Ｌ２の負の屈折力を強くしなければならず、無限遠物体から至近物体までフォーカシングする際の収差変動を低減し、性能低下が少ない結像光学系を提供することが困難となる。
本発明の効果をより確実に得るために、条件式（９）の下限値は−０．７５とすることがさらに好ましい。
【００４８】
条件式（１０）の上限値を超えて第３２レンズ群Ｌ３２の負の屈折力が弱くなると、防振レンズ群の単位移動量に対する像面移動量の比が小さくなり、防振レンズ群の移動量を大きくする必要が生じる。そのため、防振レンズ群を移動するための駆動手段（モータ等）が大型化してしまうため、全体として小型な結像光学系とするには障害となる。
本発明の効果をより確実に得るために、条件式（１０）の上限値は０．１１とすることがさらに好ましい。
【００４９】
条件式（１０）の下限値を超えて第３レンズ群Ｌ３が正の屈折力に偏移すると、結像光学系の小型化のために採用したテレフォトタイプが崩れるため、それを補償するために第２レンズ群Ｌ２の負の屈折力を強くしなければならず、無限遠物体から至近物体までフォーカシングする際の収差変動を低減し、性能低下が少ない結像光学系を提供することが困難となる。
また、第３２レンズ群Ｌ３２が正の屈折力に偏移すると、第３２レンズ群Ｌ３２の防振時のコマ収差が増大し、さらに防振時のディストーションも悪化し、これらを補正することが困難となる。
【００５０】
条件式（１１）の下限値を超えて第３３レンズ群Ｌ３３の正の屈折力が弱くなると、第３２レンズ群Ｌ３２の単位移動量に対する像面移動量の比が小さくなり、防振時に第３２レンズ群Ｌ３２を通過した光線に対して十分な結像位置変位を与えることができず、第３２レンズ群Ｌ３２の移動量が増大してしまう。そのため、防振レンズ群を移動するための駆動手段（モータ等）が大型化してしまうため、全体として小型な結像光学系とするのに障害となる。
本発明の効果をより確実に得るために、条件式（１１）の下限値は−０．１６とすることがさらに好ましい。
【００５１】
条件式（１１）の上限値を超えて第３レンズ群Ｌ３が正の屈折力に偏移すると、小型化のために採用したテレフォトタイプが崩れるため、それを補償するために第２レンズ群Ｌ２の負の屈折力を強くしなければならず、無限遠物体から至近物体までフォーカシングする際の収差変動を低減し、性能低下が少ない結像光学系を提供することが困難となる。
また、第３３レンズ群Ｌ３３が負の屈折力に偏移すると、防振時の非点収差やコマ収差が増大し、良好な性能を維持することが困難となる。
【００５２】
また、本発明の結像光学系は、条件式（１２）〜（１３）を満たすことが好ましい。
（１２）ｎｄｎ２≦１．７５
（１３）４５≦νｄｎ２
ｎｄｎ２：前記第３２レンズ群Ｌ３２に含まれる接合レンズを構成する像面側の負レンズＧｎ２のｄ線の屈折率
νｄｎ２：前記第３２レンズ群Ｌ３２に含まれる接合レンズを構成する像面側の負レンズＧｎ２のｄ線のアッベ数
【００５３】
条件式（１２）〜（１３）は、防振時に第３２レンズ群Ｌ３２を光軸と垂直な方向に移動した際に、防振時でも良好な光学性能を得るために第３２レンズ群Ｌ３２に含まれる接合レンズを構成する像面側の負レンズＧｎ２の屈折率とアッベ数を規定したものである。
【００５４】
第３２レンズ群Ｌ３２に含まれる接合レンズを構成する像面側の負レンズＧｎ２の屈折率とアッベ数が条件式（１２）及び条件式（１３）の範囲を超えてしまうと、ｇ線の補正が不足し諸収差、特にコマ収差や色収差が悪化してしまい、偏心時に良好な性能を得ることができない。よって、条件式（１２）及び条件式（１３）を満足する材料を使用することが好ましい。
本発明の効果をより確実なものとするために、条件式（１２）の上限値は１．７３とすることがさらに好ましい。また、条件式（１２）の下限値は１．４とすることがさらに好ましい。
本発明の効果をより確実なものとするために、条件式（１３）の上限値は９８とすることがさらに好ましい。また、条件式（１３）の下限値は５０とすることがさらに好ましい。
【００５５】
次に、本発明に係る各実施例の結像光学系のレンズ構成について説明する。以下の説明ではレンズ構成を物体側から像面側の順番で記載する。
【実施例１】
【００５６】
図１は、本発明の実施例１の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００５７】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００５８】
第２レンズ群Ｌ２は、正レンズと負レンズを接合した接合レンズより構成されており、全体として負の屈折力を有している。
【００５９】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例２】
【００６０】
図８は、本発明の実施例２の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００６１】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００６２】
第２レンズ群Ｌ２は、正レンズと負レンズを接合した接合レンズより構成されており、全体として負の屈折力を有している。
【００６３】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例３】
【００６４】
図１５は、本発明の実施例３の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００６５】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００６６】
第２レンズ群Ｌ２は、正レンズと負レンズを接合した接合レンズより構成されており、全体として負の屈折力を有している。
【００６７】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例４】
【００６８】
図２２は、本発明の実施例４の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００６９】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００７０】
第２レンズ群Ｌ２は、正レンズと負レンズを接合した接合レンズより構成されており、全体として負の屈折力を有している。
【００７１】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例５】
【００７２】
図２９は、本発明の実施例５の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００７３】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００７４】
第２レンズ群Ｌ２は、正レンズと負レンズを接合した接合レンズより構成されており、全体として負の屈折力を有している。
【００７５】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズからなり、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例６】
【００７６】
図３６は、本発明の実施例６の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００７７】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００７８】
第２レンズ群Ｌ２は、正レンズと負レンズを接合した接合レンズより構成されており、全体として負の屈折力を有している。
【００７９】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【実施例７】
【００８０】
図４３は、本発明の実施例７の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００８１】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００８２】
第２レンズ群Ｌ２は、正レンズと負レンズを接合した接合レンズより構成されており、全体として負の屈折力を有している。
【００８３】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。さらに、第３２レンズ群Ｌ３２は、光軸と垂直な方向に移動することで、撮影画像の像ブレを補正する。
【実施例８】
【００８４】
図５０は、本発明の実施例８の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００８５】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００８６】
第２レンズ群Ｌ２は、正レンズと負レンズを接合した接合レンズより構成されており、全体として負の屈折力を有している。
【００８７】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【実施例９】
【００８８】
図５７は、本発明の実施例９の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００８９】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００９０】
第２レンズ群Ｌ２は、正レンズと負レンズを接合した接合レンズより構成されており、全体として負の屈折力を有している。
【００９１】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【実施例１０】
【００９２】
図６４は、本発明の実施例１０の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００９３】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００９４】
第２レンズ群Ｌ２は、正レンズと負レンズを接合した接合レンズより構成されており、全体として負の屈折力を有している。
【００９５】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【実施例１１】
【００９６】
図７１は、本発明の実施例１１の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズから構成されている。
【００９７】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【００９８】
第２レンズ群Ｌ２は、正レンズと負レンズを接合した接合レンズより構成されており、全体として負の屈折力を有している。
【００９９】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【実施例１２】
【０１００】
図７８は、本発明の実施例１２の結像光学系のレンズ構成図である。第１レンズ群Ｌ１は、正の屈折力を持つ第１１レンズ群Ｌ１１、正の屈折力を持つ第１２レンズ群Ｌ１２、正の屈折力を持つ第１３レンズ群Ｌ１３からなり、全体として正の屈折力を有している。さらに、第１１レンズ群Ｌ１１は１枚の正レンズ、第１２レンズ群Ｌ１２は、２枚の正レンズと１枚の負レンズからなり、第１３レンズ群Ｌ１３は、物体側から順に物体側に凸の負のメニスカスレンズと両凸レンズを接合した接合レンズより構成されている。
【０１０１】
後レンズ群ＬＲは、無限遠物体から至近物体へのフォーカシングに際して光軸に沿って像面側へ移動する第２レンズ群Ｌ２と、開口絞りＳと、一部のレンズ群を光軸と垂直な方向に移動させて撮影画像の像ブレを補正する第３レンズ群Ｌ３からなる。
【０１０２】
第２レンズ群Ｌ２は、正レンズと負レンズを接合した接合レンズより構成されており、全体として負の屈折力を有している。
【０１０３】
第３レンズ群Ｌ３は、正の屈折力を持つ第３１レンズ群Ｌ３１、負の屈折力を持つ第３２レンズ群Ｌ３２、正の屈折力を持つ第３３レンズ群Ｌ３３からなり、全体として負の屈折力を有している。また、第３１レンズ群Ｌ３１は負レンズと正レンズを接合した接合レンズより構成されており、第３２レンズ群Ｌ３２は正レンズと負レンズを接合した接合レンズと負レンズからなり、第３３レンズ群Ｌ３３は１枚の正レンズと、正レンズと負レンズを接合した接合レンズとから構成されている。また、第３２レンズ群Ｌ３２は、光軸と垂直な方向に移動することで、撮影画像の像ブレを補正する。
【０１０４】
以下、各実施例に対応する各数値実施例について具体的な数値データを示す。
【０１０５】
面データにおいて、面番号は物体側から数えたレンズ面又は開口絞りＳの番号、ｒは各面の曲率半径、ｄは各面の間隔、ｎｄはｄ線（波長５８７．５６ｎｍ）に対する屈折率、ｖｄはｄ線に対するアッベ数を示している。
【０１０６】
面番号に付した（絞り）は、その位置に開口絞りＳが位置していることを示している。平面又は開口絞りＳに対する曲率半径には∞（無限大）を記入している。
【０１０７】
各種データには、撮影距離が無限遠のときの焦点距離等の値を示している。
【０１０８】
可変間隔データには、撮影距離が無限遠と２７００ｍｍのときの可変面間隔及びＢＦ（バックフォーカス）の値を示している。
【０１０９】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１０】
また、これらの各実施例における条件式の対応値の一覧を示す。
【０１１１】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１１２】
［数値実施例１］
単位：mm
[面データ]
面番号            r           d          nd          vd
物面                ∞        (d0)
1            298.5572     16.4042     1.43700     95.10
2           -486.9572     15.0000
3            255.8577     14.6021     1.43700     95.10
4           -779.2938     10.0000
5            162.4887     10.4186     1.43700     95.10
6            983.8573      5.4792
7           -371.9210      4.0000     1.78589     43.93
8            365.6992     60.0000
9            122.8986      3.5000     1.72916     54.67
10             62.7186      2.1106
11             63.3458     18.7817     1.49699     81.60
12           -208.6271       (d12)
13           2731.1947      5.1554     1.80518     25.45
14           -191.1221      2.0000     1.72916     54.67
15             89.9162       (d15)
16(絞り)            ∞      3.0000
17            186.8144      0.8000     1.84666     23.78
18             58.2206      5.7639     1.62040     60.34
19           -150.3650      3.5000
20             81.5973      4.5052     1.76181     26.60
21           -112.5964      1.0000     1.43700     95.10
22             35.9663      4.3716
23           -101.1006      1.5000     1.83480     42.72
24             55.9046      3.0000
25             79.7224      5.2562     1.83400     37.34
26           -486.3644      1.5172
27             50.3352      6.8069     1.62588     35.74
28           -123.1223      2.0000     1.84666     23.78
29            118.6882        (BF)
像面                 ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       27.2747
d15     59.1205       41.8459
BF      73.4067       73.4067
[レンズ群データ]
群      始面    焦点距離
L1       1       176.89
L11      1       426.23
L12      3      1656.91
L13      9       217.23
LR      13      -118.92
L2      13      -135.07
L3      17     -3170.42
L31     17       210.00
L32     20       -45.25
L33     25        60.49
【０１１３】
［数値実施例２］
単位：mm
[面データ]
面番号            r            d          nd          vd
物面                ∞         (d0)
1             302.5901     15.9625     1.43700     95.10
2            -512.8626     15.0000
3             252.3286     14.2699     1.43700     95.10
4            -978.0531     10.0000
5             165.7606     10.1246     1.43700     95.10
6             835.8651      5.1465
7            -453.5061      4.0000     1.78589     43.93
8             400.7747     60.0000
9             112.4953      4.8995     1.77250     49.62
10              61.4964      2.6191
11              62.1113     19.7673     1.49699     81.60
12            -246.1955       (d12)
13           -4973.4396      4.9037     1.80518     25.45
14            -177.9564      2.0000     1.72916     54.67
15              88.6798       (d15)
16(絞り)             ∞      3.0000
17             177.0167      0.8000     1.84666     23.78
18              58.4871      5.7946     1.62040     60.34
19            -146.2038      5.5045
20              78.4240      3.9760     1.84666     23.78
21            -176.0466      1.0000     1.59282     68.62
22              36.3191      4.0564
23            -138.4650      1.5000     1.83480     42.72
24              65.2375      3.5446
25              72.7268      6.0224     1.83400     37.34
26            -399.1660      5.6258
27              52.7750      9.7130     1.62588     35.74
28             -98.8542      2.0000     1.84666     23.78
29             103.3689        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       26.5109
d15     55.4655       38.9545
BF      66.3041       66.3041
[レンズ群データ]
群      始面    焦点距離
L1       1        174.61
L11      1        438.09
L12      3       1131.54
L13      9        224.71
LR      13       -115.29
L2      13       -125.66
L3      17     -10000.00
L31     17        194.43
L32     20        -44.98
L33     25         60.82
【０１１４】
［数値実施例３］
単位：mm
[面データ]
面番号             r           d          nd          vd
物面                 ∞        (d0)
1             349.0666     15.7820     1.43700     95.10
2            -453.4347     15.0000
3             256.6183     14.7421     1.43700     95.10
4            -756.6151     10.0000
5             162.0941     11.1119     1.43700     95.10
6            1542.5877      4.6343
7            -413.2307      4.1675     1.78589     43.93
8             352.8123     65.0000
9             125.2369      4.5000     1.72916     54.67
10              61.7172      2.2401
11              62.3344     20.2599     1.49699     81.60
12            -209.6957       (d12)
13           -2240.0076      4.5541     1.84666     23.78
14            -191.6909      3.0000     1.72916     54.67
15              90.3049       (d15)
16(絞り)            ∞      11.9587
17             131.1349      0.8000     1.84666     23.78
18              53.0380      6.3449     1.71300     53.93
19            -172.7013      4.8660
20              67.7189      4.1487     1.84666     23.78
21            -167.6606      1.0000     1.59282     68.62
22              33.4146      4.3681
23            -117.4513      1.5000     1.83480     42.72
24              47.9890      3.0000
25              68.2782      3.3092     1.56882     56.04
26            -330.7713      3.0155
27              46.7252      7.2258     1.62588     35.74
28             -69.5815      2.0000     1.84666     23.78
29             231.8927        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       27.4227
d15     52.7967       35.3740
BF      61.6744       61.6744
[レンズ群データ]
群      始面    焦点距離
L1       1       179.05
L11      1       454.05
L12      3      1121.82
L13      9       225.27
LR      13      -114.36
L2      13      -127.50
L3      17     -9998.77
L31     17       125.00
L32     20       -36.78
L33     25        58.66
【０１１５】
［数値実施例４］
単位：mm
[面データ]
面番号             r           d          nd          vd
物面                 ∞        (d0)
1             305.1566     15.7279     1.43700     95.10
2            -521.2987     15.0000
3             252.0059     14.1847     1.43700     95.10
4           -1040.9080     10.0000
5             164.6163     10.2618     1.43700     95.10
6             847.6230      5.0161
7            -472.9016      4.0000     1.78589     43.93
8             404.9445     60.0000
9             110.7756      3.5000     1.77250     49.62
10              61.3846      2.6213
11              61.9985     19.9049     1.49699     81.60
12            -255.1338       (d12)
13           -4486.2434      4.9310     1.80518     25.45
14            -177.5905      2.0000     1.72916     54.67
15              89.5879       (d15)
16(絞り)             ∞      3.0000
17             189.3230      0.8000     1.84666     23.78
18              60.4432      5.7029     1.62040     60.34
19            -144.8183      6.0353
20              79.9072      3.9033     1.84666     23.78
21            -177.0952      1.0000     1.59282     68.62
22              36.4350      3.8615
23            -136.2112      1.5000     1.83480     42.72
24              66.2822      3.7837
25              75.2548      8.4887     1.83400     37.34
26            -339.4678      3.7975
27              52.7661      8.6945     1.62588     35.74
28            -104.3809      2.0000     1.84666     23.78
29             104.2968        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       26.3391
d15     55.4300       39.0909
BF      67.8547       67.8547
[レンズ群データ]
群      始面     焦点距離
L1       1        173.23
L11      1        443.03
L12      3       1035.26
L13      9        223.99
LR      13       -117.94
L2      13       -126.71
L3      17     -10000.00
L31     17        199.97
L32     20        -44.79
L33     25         61.02
【０１１６】
［数値実施例５］
単位：mm
[面データ]
面番号             r           d          nd          vd
物面                 ∞        (d0)
1             591.0034     12.3704     1.43700     95.10
2            -511.8397     15.0000
3             281.0702     13.7858     1.43700     95.10
4           -1044.4950     10.0000
5             157.1886     12.1882     1.43700     95.10
6            1253.1841      4.5019
7            -532.5220      4.0000     1.80610     40.73
8             821.5300     60.0000
9              87.5042      3.5000     1.78589     43.93
10              52.6922      1.8252
11              53.2191     22.4098     1.49699     81.60
12            -278.8628       (d12)
13           -8266.4800      5.2110     1.78471     25.72
14            -152.1745      3.0000     1.72916     54.67
15              70.7304       (d15)
16(絞り)             ∞      9.8973
17             369.0615      2.5000     1.84666     23.78
18              78.9560      1.0000
19              74.7591      5.0252     1.60311     60.69
20            -106.1847      3.5000
21              69.9562      4.2674     1.84666     23.78
22            -218.0363      1.6313     1.59282     68.62
23              32.3679      4.0163
24            -124.0256      2.2000     1.83480     42.72
25              60.8831      3.9487
26              65.6691      6.5828     1.58144     40.89
27            -209.7404      5.4104
28              51.3288     10.8685     1.62588     35.74
29             -60.6030      2.0000     1.84666     23.78
30             210.0598        (BF)
像面                  ∞
[各種データ]
INF
焦点距離       390.00
Fナンバー        2.91
全画角2ω        6.31
像高Y           21.63
レンズ全長     342.90
[可変間隔データ]
INF          2700mm
d0           ∞     2347.0000
d12     10.0000       21.7863
d15     41.5706       29.7844
BF      60.6939       60.6939
[レンズ群データ]
群      始面    焦点距離
L1       1       150.00
L11      1       629.81
L12      3       482.45
L13      9       189.64
LR      13       -90.89
L2      13       -99.63
L3      17     -1763.92
L31     17       184.19
L32     21       -40.90
L33     26        59.40
【０１１７】
［数値実施例６］
単位：mm
[面データ]
面番号             r           d          nd          vd
物面                 ∞        (d0)
1             305.1162     16.7845     1.43700     95.10
2            -466.8314     15.0000
3             250.0085     14.3141     1.43700     95.10
4            -953.8589     10.0000
5             164.2674     10.0453     1.43700     95.10
6             811.8967      5.5351
7            -401.5263      4.0000     1.78589     43.93
8             405.4279     60.0000
9             192.2443      3.5000     1.78589     43.93
10             109.0448      0.7260
11             120.6111     13.7199     1.49699     81.60
12            -231.2019       (d12)
13             685.7605      6.5058     1.80518     25.45
14            -148.5337      3.0000     1.80610     40.73
15             111.7489       (d15)
16(絞り)             ∞      3.1774
17             270.5383      0.8000     1.84666     23.78
18              57.1501      5.4113     1.80610     40.73
19            -238.0552      5.4888
20              79.3230      4.4039     1.84666     23.78
21            -185.6282      2.0000     1.59282     68.62
22              37.5140      3.5764
23            -148.8772      1.5000     1.83480     42.72
24              57.1881      3.1345
25              79.1965      3.6155     1.63854     55.44
26            -230.0652      2.5655
27              48.9307      6.0828     1.64769     33.84
28             -90.0787      1.0000     1.84666     23.78
29             129.5028        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     13.0000       37.0000
d15     61.7291       37.7291
BF      72.3842       72.3842
[レンズ群データ]
群      始面     焦点距離
L1       1        200.00
L11      1        425.05
L12      3       1343.75
L13      9        317.24
LR      13       -151.66
L2      13       -166.64
L3      17     -10000.00
L31     17        173.07
L32     20        -43.72
L33     25         62.86
【０１１８】
［数値実施例７］
単位：mm
[面データ]
面番号            r           d          nd          vd
物面                ∞        (d0)
1            358.1738     15.2029     1.43700     95.10
2           -458.5953     15.0000
3            251.8693     14.7607     1.43700     95.10
4           -809.0166     10.0000
5            154.4350     11.6021     1.43700     95.10
6           1482.5421      4.6558
7           -416.2641      4.0000     1.78589     43.93
8            317.5431     60.0000
9            138.6284      5.5102     1.78589     43.93
10             90.9443      0.8314
11            100.0388     15.0886     1.49699     81.60
12           -243.2831       (d12)
13            782.0683      5.7985     1.80518     25.45
14           -171.9635      3.0000     1.80420     46.50
15            100.1432       (d15)
16(絞り)            ∞      3.0000
17            278.3751      0.8000     1.84666     23.78
18             62.0780      5.2728     1.80610     40.73
19           -205.9903      3.5000
20             95.3746      3.4684     1.84666     23.78
21           -302.3980      1.0000     1.59282     68.62
22             39.0688      3.9161
23           -141.0073      1.5000     1.71300     53.93
24             63.7764      3.0000
25             87.3098      3.6405     1.49699     81.60
26           -180.5989      4.8414
27             52.2325      9.7143     1.64769     33.84
28            -85.1102      5.0000     1.84666     23.78
29            152.7973        (BF)
像面                 ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     13.0000       32.4335
d15     55.1070       35.6736
BF      70.7892       70.7892
[レンズ群データ]
群      始面    焦点距離
L1       1       183.81
L11      1       462.82
L12      3      1232.67
L13      9       247.48
LR      13      -129.04
L2      13      -143.78
L3      17     -3351.10
L31     17       159.49
L32     20       -46.69
L33     25        72.00
【０１１９】
［数値実施例８］
単位：mm
[面データ]
面番号             r           d          nd          vd
物面                 ∞        (d0)
1             269.9477     15.1980     1.43700     95.10
2            -818.0447     15.0000
3             280.2590     10.8736     1.43700     95.10
4            2442.4687     10.0000
5             195.6681     14.9269     1.43700     95.10
6            -446.9835      0.2000
7            -462.0833      4.0000     1.78589     43.93
8             475.7522     60.0000
9             127.1487      3.5000     1.72916     54.67
10              81.6231      0.2379
11              83.4241     12.5264     1.49699     81.60
12            2138.6742       (d12)
13            9462.6187      5.6621     1.76181     26.60
14            -184.1483      2.0000     1.74329     49.22
15             136.4667       (d15)
16(絞り)             ∞      3.0000
17             134.3281      0.8000     1.84666     23.78
18              50.1961      6.0762     1.62040     60.34
19            -169.4397     10.9348
20              71.3399      3.6892     1.84666     23.78
21            -185.4396      1.0000     1.59282     68.62
22              33.2606      4.6092
23            -115.2179      1.5000     1.83480     42.72
24              57.1758      3.0000
25              85.9481      2.6128     1.83400     37.34
26            -670.6855      5.0878
27              48.5972      5.7376     1.58144     40.89
28            -155.7334      1.0000     1.84666     23.78
29             226.4063        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       34.0000
d15     75.9732       51.9732
BF      63.8543       63.8543
[レンズ群データ]
群      始面    焦点距離
L1       1       196.56
L11      1       466.44
L12      3       742.98
L13      9       388.59
LR      13      -155.34
L2      13      -190.00
L3      17     -1677.00
L31     17       184.01
L32     20       -38.85
L33     25        57.22
【０１２０】
［数値実施例９］
単位：mm
[面データ]
面番号            r           d          nd          vd
物面                ∞        (d0)
1            292.2006     17.0054     1.43700     95.10
2           -510.4810     15.0000
3            244.2322     14.9291     1.43700     95.10
4           -828.7718     10.0000
5            154.2595     10.9206     1.43700     95.10
6           1016.9620      5.0842
7           -402.5773      4.0000     1.78589     43.93
8            303.7956     60.0000
9            139.5769      3.9382     1.74329     49.22
10             96.5618      1.5721
11            115.4569     12.8426     1.49699     81.60
12           -233.7808       (d12)
13            444.0264      5.5898     1.80518     25.45
14           -252.5425      2.0000     1.80420     46.50
15            105.5878       (d15)
16(絞り)            ∞      3.0000
17            143.2561      3.0785     1.84666     23.78
18             57.3573      4.8361     1.49699     81.60
19           -437.1821      3.5000
20            149.4571      3.7428     1.84666     23.78
21           -110.5367      1.0000     1.59282     68.62
22             43.8716      3.7493
23           -138.0941      1.5000     1.83480     42.72
24             91.4489      3.7925
25            128.1903      2.4603     1.80610     40.73
26           -270.0076      0.1000
27             68.5135      7.9218     1.83400     37.34
28           -130.9671      2.0000     1.84666     23.78
29            206.7752        (BF)
像面                 ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       32.1012
d15     54.4621       32.3609
BF      85.0747       85.0747
[レンズ群データ]
群      始面    焦点距離
L1       1       186.13
L11      1       428.00
L12      3      1745.57
L13      9       246.29
LR      13      -159.29
L2      13      -174.18
L3      17     -1676.99
L31     17      1000.00
L32     20       -48.38
L33     25        56.71
【０１２１】
［数値実施例１０］
単位：mm
[面データ]
面番号             r           d          nd          vd
物面                 ∞        (d0)
1             306.4739     15.9232     1.43700     95.10
2            -579.8609     15.0000
3             240.4680     14.7456     1.43700     95.10
4            -997.8505     10.0000
5             150.7900     11.7576     1.43700     95.10
6            1318.6195      4.3915
7            -468.2605      4.0000     1.78589     43.93
8             287.0517     60.0000
9             125.3568      3.5000     1.78589     43.93
10              87.5941      1.1657
11              97.6823     14.1553     1.49699     81.60
12            -258.9304       (d12)
13             482.6042      5.4653     1.80518     25.45
14            -264.7175      2.0000     1.77250     49.62
15              96.5391       (d15)
16(絞り)             ∞      3.0000
17              88.6142      3.8015     1.84666     23.78
18              44.9503      4.7302     1.51742     52.15
19             366.4023      3.5000
20             151.5981      3.7465     1.84666     23.78
21            -101.8447      1.0000     1.59282     68.62
22              44.8618      3.5821
23            -130.5915      1.5000     1.83480     42.72
24              86.3019      3.5335
25             118.6404      2.1721     1.80610     40.73
26            -921.3651      0.1000
27              80.1880      8.8183     1.83400     37.34
28             -57.9131      2.0000     1.84666     23.78
29           77485.0604        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0           ∞     2347.0000
d12     10.0000       29.8298
d15     55.3910       35.5612
BF      84.0207       84.0207
[レンズ群データ]
群      始面    焦点距離
L1       1       179.71
L11      1       461.34
L12      3      1281.80
L13      9       232.26
LR      13      -148.92
L2      13      -162.49
L3      17     -1676.79
L31     17      1000.00
L32     20       -47.34
L33     25        56.30
【０１２２】
［数値実施例１１］
単位：mm
[面データ]
面番号             r           d          nd          vd
物面                 ∞        (d0)
1             274.2228     16.6868     1.43700     95.10
2            -509.6582     15.0000
3             256.1615     13.3254     1.43700     95.10
4           -1572.9876     10.0000
5             174.4430      9.1707     1.43700     95.10
6             656.5647      5.4810
7            -478.1603      4.0000     1.78589     43.93
8             490.1379     60.0000
9             111.4479      3.5000     1.77250     49.62
10              60.6760      2.7984
11              61.2827     19.8176     1.49699     81.60
12            -263.4265       (d12)
13           -2646.2146      4.7654     1.80518     25.45
14            -183.6084      2.0000     1.72916     54.67
15              94.5354       (d15)
16(絞り)             ∞      8.6171
17             311.5507      1.5000     1.80518     25.45
18              55.9377      5.4389     1.71300     53.93
19            -156.2558      8.7494
20              70.8921      4.5077     1.84666     23.78
21            -121.7118      2.0000     1.71300     53.93
22              35.1871      3.6814
23            -131.6044      1.5000     1.83480     42.72
24              62.4735      3.4878
25              63.3906      7.1752     1.78589     43.93
26           -1556.5975      4.8599
27              64.2674     10.8836     1.67270     32.17
28             -48.5787      2.0000     1.84666     23.78
29             461.7375        (BF)
像面                  ∞
[各種データ]
INF
焦点距離       390.00
Fナンバー        2.91
全画角2ω        6.29
像高Y           21.63
レンズ全長     353.01
[可変間隔データ]
INF          2700mm
d0           ∞     2347.0000
d12     10.0000       26.9734
d15     54.3460       37.3725
BF      57.7078       57.7078
[レンズ群データ]
群      始面    焦点距離
L1       1       175.17
L11      1       410.65
L12      3      1239.08
L13      9       231.01
LR      12      -123.38
L2      13      -131.44
L3      17     -7750.63
L31     17       182.49
L32     20       -38.78
L33     25        55.00
【０１２３】
［数値実施例１２］
単位：mm
[面データ]
面番号             r           d          nd          vd
物面                 ∞        (d0)
1             425.9690     13.7578     1.43700     95.10
2            -502.4717     15.0000
3             286.5601     12.4152     1.43700     95.10
4           -2370.7459     10.0000
5             182.2658     11.0637     1.43700     95.10
6            2017.3039      3.5371
7            -629.4654      4.0000     1.78589     43.93
8             431.9489     60.0000
9             122.9846      3.5000     1.78589     43.93
10              78.9029     18.6562     1.49699     81.60
11            -498.0026       (d11)                      
12            1001.1997      5.2802     1.78471     25.72
13            -283.1054      2.0000     1.77250     49.62
14             141.2157       (d14)
15(絞り)             ∞      6.1053
16             269.8827      0.8000     1.84666     23.78
17              55.3117      5.3105     1.70154     41.14
18            -198.2711      9.8612
19              74.1038      3.9950     1.84666     23.78
20            -147.6062      2.0000     1.59282     68.62
21              32.6895      4.1549
22            -113.8164      1.5000     1.83480     42.72
23              52.7923      3.0000
24              63.1741      6.2155     1.54072     47.20
25            -140.3918      4.6027
26              48.2202      8.1522     1.62588     35.74
27             -68.1578      2.0000     1.84666     23.78
28             188.3486        (BF)
像面                  ∞
[各種データ]
INF
焦点距離       390.00
Fナンバー        2.91
全画角2ω        6.29
像高Y           21.63
レンズ全長     353.00
[可変間隔データ]
INF          2700mm
d0             ∞   2347.0000
d11       10.0000     34.0000
d14       69.7335     45.7335
BF        56.4589     56.4589
[レンズ群データ]
群      始面    焦点距離
L1       1       187.21
L11      1       529.93
L12      3       998.84
L13      9       268.42
LR      13      -113.94
L2      13      -216.18
L3      17      -357.94
L31     16       247.23
L32     19       -36.98
L33     24        55.30
【０１２４】
［条件式対応値］
条件式
(1)  ｆ１／ｆ
(2)  ｆ１１／ｆ
(3)  ｆ１２／ｆ
(4)  ｆ１３／ｆ
(5)  ｆＬＲ／ｆ
(6)  θｇＦｎ１−０．６４８３＋０．００１８×νｄｎ１
(7)  νｄｐ１
(8)  θｇＦｐ１−０．６４８３＋０．００１８×νｄｐ１
(9)  ｆ３１／ｆ３
(10) ｆ３２／ｆ３ 
(11) ｆ３３／ｆ３ 
(12) ｎｄｎ２ 
(13) νｄｎ２ 
条件式   実施例1    実施例2    実施例3    実施例4    実施例5 
(1)         0.45       0.45       0.46       0.44       0.38
(2)         1.09       1.12       1.16       1.14       1.61
(3)         4.25       2.90       2.88       2.65       1.24
(4)         0.56       0.58       0.58       0.57       0.49
(5)        -0.30      -0.30      -0.29      -0.30      -0.23
(6)       -0.005     -0.009     -0.005     -0.009     -0.008
(7)        81.61      81.61      81.61      81.61      81.61
(8)        0.037      0.037      0.037      0.037      0.037
(9)        -0.07      -0.02      -0.01      -0.02      -0.10
(10)        0.01       0.00       0.00       0.00       0.02
(11)       -0.02      -0.01      -0.01      -0.01      -0.03
(12)        1.44       1.59       1.59       1.59       1.59
(13)       95.10      68.62      68.62      68.62      68.62
条件式   実施例6    実施例7    実施例8    実施例9    実施例10
(1)         0.51       0.47       0.50       0.48       0.46
(2)         1.09       1.19       1.20       1.10       1.18
(3)         3.45       3.16       1.91       4.48       3.29
(4)         0.81       0.63       1.00       0.63       0.60
(5)        -0.39      -0.33      -0.40      -0.41      -0.38
(6)       -0.008     -0.008     -0.005     -0.010     -0.008
(7)        81.61      81.61      81.61      81.61      81.61
(8)        0.037      0.037      0.037      0.037      0.037
(9)        -0.02      -0.05      -0.11      -0.60      -0.60
(10)        0.00       0.01       0.02       0.03       0.03
(11)       -0.01      -0.02      -0.03      -0.03      -0.03
(12)        1.59       1.59       1.59       1.59       1.59
(13)       68.62      68.62      68.62      68.62      68.62
条件式   実施例11   実施例12
(1)         0.45       0.48
(2)         1.05       1.36
(3)         3.18       2.56
(4)         0.59       0.69
(5)        -0.32      -0.29
(6)       -0.009     -0.008
(7)        81.61      81.61
(8)        0.037      0.037
(9)        -0.02      -0.69
(10)        0.01       0.10
(11)       -0.01      -0.15
(12)        1.71       1.59
(13)       53.94      68.62
【０１２５】
本発明によれば、結像光学系の軽量化、特にフォーカスレンズ群及び防振レンズ群の重量削減を達成しつつ、結像光学系全長の小型化を実現し、さらに良好な防振機能を有し、フォーカシングに際し諸収差の変動を良好に補正した、高い光学性能を有する結像光学系を提供することができる。
【符号の説明】
【０１２６】
Ｌ１    第１レンズ群
Ｌ１１  第１１レンズ群
Ｌ１２  第１２レンズ群
Ｌ１３  第１３レンズ群
ＬＲ    後レンズ群
Ｌ２    第２レンズ群
Ｌ３    第３レンズ群
Ｌ３１  第３１レンズ群
Ｌ３２  第３２レンズ群
Ｌ３３  第３３レンズ群
Ｓ      開口絞り
Ｉ      像面
【図１】
2015064436.tif 000003
【図２】
2015064436.tif 000004
【図３】
2015064436.tif 000005
【図４】
2015064436.tif 000006
【図５】
2015064436.tif 000007
【図６】
2015064436.tif 000008
【図７】
2015064436.tif 000009
【図８】
2015064436.tif 000010
【図９】
2015064436.tif 000011
【図１０】
2015064436.tif 000012
【図１１】
2015064436.tif 000013
【図１２】
2015064436.tif 000014
【図１３】
2015064436.tif 000015
【図１４】
2015064436.tif 000016
【図１５】
2015064436.tif 000017
【図１６】
2015064436.tif 000018
【図１７】
2015064436.tif 000019
【図１８】
2015064436.tif 000020
【図１９】
2015064436.tif 000021
【図２０】
2015064436.tif 000022
【図２１】
2015064436.tif 000023
【図２２】
2015064436.tif 000024
【図２３】
2015064436.tif 000025
【図２４】
2015064436.tif 000026
【図２５】
2015064436.tif 000027
【図２６】
2015064436.tif 000028
【図２７】
2015064436.tif 000029
【図２８】
2015064436.tif 000030
【図２９】
2015064436.tif 000031
【図３０】
2015064436.tif 000032
【図３１】
2015064436.tif 000033
【図３２】
2015064436.tif 000034
【図３３】
2015064436.tif 000035
【図３４】
2015064436.tif 000036
【図３５】
2015064436.tif 000037
【図３６】
2015064436.tif 000038
【図３７】
2015064436.tif 000039
【図３８】
2015064436.tif 000040
【図３９】
2015064436.tif 000041
【図４０】
2015064436.tif 000042
【図４１】
2015064436.tif 000043
【図４２】
2015064436.tif 000044
【図４３】
2015064436.tif 000045
【図４４】
2015064436.tif 000046
【図４５】
2015064436.tif 000047
【図４６】
2015064436.tif 000048
【図４７】
2015064436.tif 000049
【図４８】
2015064436.tif 000050
【図４９】
2015064436.tif 000051
【図５０】
2015064436.tif 000052
【図５１】
2015064436.tif 000053
【図５２】
2015064436.tif 000054
【図５３】
2015064436.tif 000055
【図５４】
2015064436.tif 000056
【図５５】
2015064436.tif 000057
【図５６】
2015064436.tif 000058
【図５７】
2015064436.tif 000059
【図５８】
2015064436.tif 000060
【図５９】
2015064436.tif 000061
【図６０】
2015064436.tif 000062
【図６１】
2015064436.tif 000063
【図６２】
2015064436.tif 000064
【図６３】
2015064436.tif 000065
【図６４】
2015064436.tif 000066
【図６５】
2015064436.tif 000067
【図６６】
2015064436.tif 000068
【図６７】
2015064436.tif 000069
【図６８】
2015064436.tif 000070
【図６９】
2015064436.tif 000071
【図７０】
2015064436.tif 000072
【図７１】
2015064436.tif 000073
【図７２】
2015064436.tif 000074
【図７３】
2015064436.tif 000075
【図７４】
2015064436.tif 000076
【図７５】
2015064436.tif 000077
【図７６】
2015064436.tif 000078
【図７７】
2015064436.tif 000079
【図７８】
2015064436.tif 000080
【図７９】
2015064436.tif 000081
【図８０】
2015064436.tif 000082
【図８１】
2015064436.tif 000083
【図８２】
2015064436.tif 000084
【図８３】
2015064436.tif 000085
【図８４】
2015064436.tif 000086